(57)【要約】【課題】デッドボルトの存在位置が確認できなくなり、デッドボルト破壊による不正解錠時間を長くできるデッドボルトガードを提供し、防犯性を向上させる。【解決手段】扉枠側に設けられデッドボルトの突出によって付勢手段７９の付勢力に抗し押圧されて直線後退動する押込みトリガー６７と、押込みトリガー６７の直線後退動に従動回転するトリガーピニオン６９と、トリガーピニオン６９と同方向の回転中心軸で回転自在となり回転吸収手段８７を介してトリガーピニオン６９に接続されることでトリガーピニオン６９に従動しつつトリガーピニオン６９との回転差が吸収可能となったガードピニオン７１と、ガードピニオン７１の回動に従動して扉枠側から突出され先端が扉木口に当接することでデッドボルトを覆うガード部材７３とを設けた。【選択図】      図１
2007211556.tif 000002
【特許請求の範囲】
【請求項１】
閉止状態の扉から突出されたデッドボルトの、前記扉と扉枠との間を覆うデッドボルトガードであって、
前記扉枠側に設けられ前記デッドボルトの突出によって付勢手段の付勢力に抗し押圧されて直線後退動する押込みトリガーと、
該押込みトリガーの直線後退動に従動回転するトリガーピニオンと、
該トリガーピニオンと同方向の回転中心軸で回転自在となり回転吸収手段を介して該トリガーピニオンに接続されることで該トリガーピニオンに従動しつつ該トリガーピニオンとの回転差が吸収可能となったガードピニオンと、
該ガードピニオンの回動に従動して前記扉枠側から突出され先端が前記扉木口に当接することで前記デッドボルトを覆うガード部材と、
を具備したことを特徴とするデッドボルトガード。
【請求項２】
前記回転吸収手段が、中心端を前記トリガーピニオンに固定し、外周端を前記ガードピニオンに固定したゼンマイバネであることを特徴とする請求項１記載のデッドボルトガード。
【請求項３】
前記押込みトリガー及び前記トリガーピニオン、並びに前記ガードピニオン及び前記ガード部材とが、それぞれラック・ピニオン機構で噛合したことを特徴とする請求項１又は２記載のデッドボルトガード。
【請求項４】
前記トリガーピニオンにストッパー受けが固設されるとともに、前記ガードピニオンにストッパーが固設され、
前記押込みトリガーの直線後退動に従動する前記トリガーピニオンの回転方向下流側に、前記ストッパー受けが配置される一方、該回転方向の上流側に前記ストッパーが配置され、
かつ前記ストッパー受けと前記ストッパーとが同一円周上で当接可能となったことを特徴とする請求項１又は２又は３記載のデッドボルトガード。
【発明の詳細な説明】
【技術分野】
【０００１】
本発明は、閉止状態の扉から突出されて扉枠側のストライクに進入、すなわち施錠状態となっているデッドボルトの、扉と扉枠との間を覆うデッドボルトガードに関する。
【背景技術】
【０００２】
扉の施錠装置は、一般的に、扉内に錠箱を設け、この錠箱に、施解錠機構を介して扉木口から進退自在となったデッドボルトを備える。施錠時、デッドボルトは、扉の屋外側の面に設けられたシリンダー錠、或いは扉の屋内側の面に設けられたサムターンの施錠操作によって、閉止状態の扉木口から突出され、扉枠側に設けられたストライクに進入する。これにより、扉の開放が規制された施錠状態となる。
【発明の開示】
【発明が解決しようとする課題】
【０００３】
しかしながら、従来の施錠装置は、扉木口から突出してストライクに進入したデッドボルトが、扉と扉枠との間の僅かな間隙を介して視認可能となる場合があった。近年、このような視認可能となったデッドボルトに対し、扉と扉枠との間に切断工具を挿入し、デッドボルトを切断することにより扉を開放する不正解錠犯罪が報告されている。これに対し、デッドボルトを視認不能とするため、扉と扉枠との間で突出するデッドボルトを覆う、覆い板を扉、又は扉枠に取り付ける対策も提案されているが、扉と扉枠との間にバール等の工具を挿入し、その間隙を押し広げれば容易にデッドボルトが表出してしまい、デッドボルトの隠蔽効果が低く、上記同様にデッドボルトが破壊できた。
【０００４】
本発明は上記状況に鑑みてなされたもので、デッドボルトの存在位置が確認できなくなり、デッドボルト破壊による不正解錠時間を長くできるデッドボルトガードを提供し、もって、防犯性の向上を図ることを目的とする。
【課題を解決するための手段】
【０００５】
次に、上記の課題を解決するための手段を、実施の形態に対応する図面を参照して説明する。
本発明の請求項１記載のデッドボルトガードは、閉止状態の扉１１から突出されたデッドボルト１３の、前記扉１１と扉枠６１との間を覆うデッドボルトガード１００であって、
前記扉枠６１側に設けられ前記デッドボルト１３の突出によって付勢手段７９の付勢力に抗し押圧されて直線後退動する押込みトリガー６７と、
該押込みトリガー６７の直線後退動に従動回転するトリガーピニオン６９と、
該トリガーピニオン６９と同方向の回転中心軸で回転自在となり回転吸収手段８７を介して該トリガーピニオン６９に接続されることで該トリガーピニオン６９に従動しつつ該トリガーピニオン６９との回転差が吸収可能となったガードピニオン７１と、
該ガードピニオン７１の回動に従動して前記扉枠６１側から突出され先端が前記扉木口１１ａに当接することで前記デッドボルト１３を覆うガード部材７３と、
を具備したことを特徴とする。
【０００６】
このデッドボルトガードでは、扉１１が閉止された状態で、施錠のためのデッドボルト１３が突出すると、押込みトリガー６７が直線後退動され、従動したトリガーピニオン６９と共にガードピニオン７１が回転し、このガードピニオン７１に従動してガード部材７３が扉枠６１から突出される。また、扉１１と扉枠６１との間隙９９が押し広げられた場合であっても、これに追従して回転吸収手段８７によってガード部材７３が突出され、デッドボルト１３がガード部材７３に覆われた状態を維持することとなる。
【０００７】
請求項２記載のデッドボルトガードは、前記回転吸収手段が、中心端８７ａを前記トリガーピニオン６９に固定し、外周端８７ｂを前記ガードピニオン７１に固定したゼンマイバネ８７であることを特徴とする。
【０００８】
このデッドボルトガードでは、ゼンマイバネ８７を介して、トリガーピニオン６９の回転に従動してガードピニオン７１が回転され、かつトリガーピニオン６９とガードピニオン７１との回転差がゼンマイバネ８７の弾性変形によって吸収可能になる。
【０００９】
請求項３記載のデッドボルトガードは、前記押込みトリガー６７及び前記トリガーピニオン６９、並びに前記ガードピニオン７１及び前記ガード部材７３とが、それぞれラック・ピニオン機構で噛合したことを特徴とする。
【００１０】
このデッドボルトガードでは、ラック・ピニオン機構によって、デッドボルト１３の押し込み動作が滑り等の損失無くトリガーピニオン６９の回転に変換されるとともに、ガードピニオン７１の回転動作が滑り等の損失無くガード部材７３の突出動作に変換される。
【００１１】
請求項４記載のデッドボルトガードは、前記トリガーピニオン６９にストッパー受け９３が固設されるとともに、前記ガードピニオン７１にストッパー９５が固設され、
前記押込みトリガー６７の直線後退動に従動する前記トリガーピニオン６９の回転方向下流側に、前記ストッパー受け９３が配置される一方、該回転方向の上流側に前記ストッパー９５が配置され、
かつ前記ストッパー受け９３と前記ストッパー９５とが同一円周上で当接可能となったことを特徴とする。
【００１２】
このデッドボルトガードでは、解錠時、デッドボルト１３が後退動されることで、付勢手段７９によって押込みトリガー６７がデッドボルト１３の後退方向に移動すると、押込みトリガー６７に従動してトリガーピニオン６９が回転し、このトリガーピニオン６９に設けられたストッパー受け９３が、ガードピニオン７１に設けられたストッパー９５に当接することで、ストッパー受け９３がストッパー９５を押圧しながら、ガードピニオン７１を回転させる。これにより、解錠時、すなわち、デッドボルト１３の後退時、ガード部材７３は確実に扉枠内へ後退する。
【発明の効果】
【００１３】
本発明に係る請求項１記載のデッドボルトガードによれば、デッドボルトの突出によって直線後退動する押込みトリガーと、この押込みトリガーに従動回転するトリガーピニオンと、トリガーピニオンに回転吸収手段を介して従動可能となったガードピニオンと、ガードピニオンに従動して扉枠側から突出されデッドボルトを覆うガード部材とを備えたので、扉が閉止された状態で、施錠のためのデッドボルトが突出すると、押込みトリガーが直線後退動され、従動したトリガーピニオンと共にガードピニオンが回転し、このガードピニオンに従動してガード部材が扉枠から突出される。また、扉と扉枠との間隙が押し広げられた場合であっても、これに追従して回転吸収手段によってガード部材が突出され、デッドボルトがガード部材に覆われた状態を維持することとなる。これにより、扉と扉枠との間に表出したデッドボルトが、ガード部材によって隠蔽され続けることとなり、デッドボルトが視認できなくなるとともに、デッドボルトに対する直接的な接触が阻止できる。この結果、デッドボルトの存在位置が確認できなくなるとともに、デッドボルトを破壊する前にガード部材を破壊しなければならず、破壊による不正解錠時間を引き延ばし、防犯性を向上させることができる。また、デッドボルトが突出する際にのみ、ガード部材がデッドボルトを覆うように突出することから、従来のように、板状の部材が常に表出せず、扉周りの意匠性を損ねることがなく、防犯性を向上させることができる。
【００１４】
請求項２記載のデッドボルトガードによれば、トリガーピニオンとガードピニオンとを接続する回転吸収手段をゼンマイバネとしたので、トリガーピニオンの回転に従動させてガードピニオンを回転させることができ、かつトリガーピニオンとガードピニオンとの回転差を吸収可能にすることができる。この結果、簡単な単一部材で、デッドボルトの突出長とガード部材の突出長の差を吸収しつつ、ガード部材を付勢状態に維持し続けることができる。
【００１５】
請求項３記載のデッドボルトガードによれば、押込みトリガー及びトリガーピニオン、並びにガードピニオン及びガード部材とを、それぞれラック・ピニオン機構で噛合させたので、簡素な構造で、デッドボルトの押し込み動作を損失無くトリガーピニオンの回転に変換できるとともに、ガードピニオンの回転動作を損失無くガード部材の突出動作に変換できる。
【００１６】
請求項４記載のデッドボルトガードによれば、トリガーピニオンにストッパー受けを固設するとともに、ガードピニオンにストッパーを固設し、ストッパー受けとストッパーとを同一円周上で当接可能としたので、解錠時、デッドボルトが後退動されることで、付勢手段によって押込みトリガーがデッドボルトの後退方向に移動すると、押込みトリガーに従動してトリガーピニオンが回転し、このトリガーピニオンに設けられたストッパー受けが、ガードピニオンに設けられたストッパーに当接することで、ストッパー受けがストッパーを押圧しながら、ガードピニオンを回転させる。これにより、解錠時、すなわち、デッドボルトの後退時、ガード部材を確実に扉枠内へ後退させることができるようになる。
【発明を実施するための最良の形態】
【００１７】
以下、本発明に係るデッドボルトガードの好適な実施の形態を図面を参照して詳細に説明する。
図１は本発明に係るデッドボルトガードの斜視図、図２は図１に示したデッドボルトガードと扉側の錠箱とを表した縦断面図、図３はデッドボルトガードの要部分解斜視図である。
本実施の形態によるデッドボルトガード１００は、扉１１に、デッドボルト１３を進退自在に備えた錠箱２１が設けられる錠装置１７に好適に用いることができる。ここで、デッドボルト１００の説明に先立ち、錠装置１７について簡単に説明する。
【００１８】
錠装置１７は、錠箱２１に錠機構２３を収容する。錠箱２１の前端面には取付板２５が設けられ、取付板２５は扉木口に固定ビス２７によって固定される。取付板２５の表面にはさらに木口に表出するフロントパネル２９が化粧ビス３１によって固定される。これにより、錠箱２１は、扉木口でフロントパネル２９によって覆われ、フロントパネル２９に形成されたデッドボルト出入口２９ａからデッドボルト１３を進退させることになる。
【００１９】
ダルマ軸３５の一端側には扉の室外面側（図２の紙面背面側）に設けられる例えばシリンダー錠の連結部（所謂テールピース）が係合される。また、ダルマ軸３５の他端側には扉の室内面側（図２の紙面表面側）に設けられる後述のサムターンが嵌入される。ダルマ軸３５には半径方向外側に突出する押杆３７が設けられ、押杆３７の先端は支持・締結部材である支軸３８を介して回動自在に連結された揺動杆３９の先端に回動自在に連結されている。したがって、ダルマ軸３５は、例えば９０°の回転角度範囲に回動が規制され、かつ揺動杆３９に外挿された揺動バネ４１によって、９０°の回転角度範囲のいずれか一方側に寄せられるよう回動付勢される。
【００２０】
錠箱２１内には支持・締結部材であるガイド軸４３が立設され、ガイド軸４３はデッドボルト１３に形成された長穴３３ａをガイドする。デッドボルト１３は、上記の押杆３７に、後部切欠１３ａが押圧されることで、錠箱２１外へと突出される。突出されたデッドボルト１３は、支持・締結部材であるストッパー軸４５によって基端を揺動自在に支持したストッパー４７が、ストッパーバネ４９の付勢力で回動係止されることで、後退が規制されるようになっている。
【００２１】
ダルマ軸３５は、デッドボルト１３が突出された状態で、図２の反時計回りに回転されることにより、押杆３７を介してデッドボルト１３の後部切欠１３ｂを押圧して、デッドボルト１３を後退（図２の右側へ移動）させる。この際、同時に解除ピン５１がストッパー４７を押下し、ストッパー４７とデッドボルト１３との係合状態を解除する。
【００２２】
デッドボルトガード１００は、このような錠箱２１を備えた扉１１に対向するようにして、扉１１の外側に位置する建物躯体側の扉枠６１に設けられる。デッドボルトガード１００は、ケース６３内に機構部材を収容し、ケース６３の前端面に固設されたストライク板６５が、扉枠６１の木口対向面６１ａにビス固定される。ケース６３内には、押込みトリガー６７、トリガーピニオン６９、ガードピニオン７１、ガード部材７３が収容される。
【００２３】
ストライク板６５には、内部空間を有する立方体形状に形成されたガード部材７３が進退する開口穴７５が穿設される。ガード部材７３の前端面にはデッドボルト１３を進入させるストライク穴７７が穿設される。ストライク穴７７の後方にはデッドボルト１３の進入によって押圧され、直線後退動する押込みトリガー６７が配置される。押込みトリガー６７は、付勢手段である圧縮バネ７９によってストライク板６５に当接する方向（図２の右方向）に付勢される。押込みトリガー６７は、図示しないレール機構等によって図２の左右方向に略真直に移動自在となっている。すなわち、圧縮バネ７９によりストライク板６５に当接した押込みトリガー６７は、デッドボルト１３がストライク穴７７に進入することにより、押圧されて圧縮バネ７９の付勢力に抗して図２の左方向へ移動される。また、デッドボルト１３が進入しない状態では、ストライク穴７７を略塞ぐように、押込みトリガー６７の先端面、すなわちデッドボルト１３との当接面が位置する。
【００２４】
ケース６３内の押込みトリガー６７の下方には、支持軸８１を介してトリガーピニオン６９が回動自在に支持されている。トリガーピニオン６９は、押込みトリガー６７の下面に設けられたトリガーラック８３に噛合する。すなわち、押込みトリガー６７が図２の左方に移動することにより、トリガーピニオン６９は、図２の反時計回りに回転する。なお、支持軸８１は、例えば、ケース６３内部に設けられる図示しないブラケットなどを介して両端が支持される。
【００２５】
図３に示すように、トリガーピニオン６９には筒軸８５が固定され、筒軸８５は支持軸８１に回動自在に支持される。なお、支持軸８１には後部トリガーピニオン６９ａが支持され、後部トリガーピニオン６９ａもトリガーラック８３に噛合する。筒軸８５の外周には回転吸収手段であるゼンマイバネ８７の中心端８７ａが固定されている。このゼンマイバネ８７は、トリガーピニオン６９と同軸となって支持軸８１に回動自在に支持されるガードピニオン７１の内側に収容され、外周端８７ｂが、このガードピニオン７１の内壁に固定される。
【００２６】
筒軸８５とゼンマイバネ８７とを内方に収容したガードピニオン７１は、底面が蓋８９によって閉塞される。なお、筒軸８５は、蓋８９の中央に穿設された貫通穴８９ａによって回動自在に突出されている。すなわち、筒軸８５により蓋８９が回動自在に支持されている。
【００２７】
ケース６３内には図示しないレール手段等を介してガード部材７３が図２の左右方向に移動自在に設けられている。ガード部材７３は、閉止状態の扉１１から突出されたデッドボルト１３の、扉１１と扉枠６１との間を覆う。すなわち、ガード部材７３は、ガードピニオン７１の回動に従動して扉枠６１側から突出され先端が扉木口１１ａに当接することでデッドボルト１３を覆う。
【００２８】
ガード部材７３は、ガードピニオン７１に噛合するガードラック９１を底部に備えている。すなわち、押込みトリガー６７及びトリガーピニオン６９、並びにガードピニオン７１及びガード部材７３とは、それぞれラック・ピニオン機構によって噛合されている。これにより、簡素な構造で、デッドボルト１３の押し込み動作、すなわち、押込みトリガー６７の直線後退動を損失無くトリガーピニオン６９の回転に変換できるとともに、ガードピニオン７１の回転動作を損失無くガード部材７３の突出動作に変換できるようになっている。
【００２９】
ガードピニオン７１は、トリガーピニオン６９と同方向の回転中心軸で回転自在となりゼンマイバネ８７を介して、トリガーピニオン６９に接続されることでトリガーピニオン６９に従動しつつ、このトリガーピニオン６９との回転差が吸収可能となっている。この結果、簡単な単一部材で、デッドボルト１３の突出長とガード部材７３の突出長の差を吸収しつつ、ガード部材７３を付勢状態に維持し続けることができるようになっている。
【００３０】
トリガーピニオン６９には筒軸８５を介してストッパー受け９３が固設されるとともに、ガードピニオン７１にはストッパー９５が固設される。ストッパー受け９３は、押込みトリガー６７の直線後退動に従動するトリガーピニオン６９の回転方向下流側に配置される。一方、ストッパー９５は、トリガーピニオン６９の回転方向上流側に配置される。そして、ストッパー受け９３とストッパー９５とは、同一円周上で当接可能となっている。
【００３１】
次に、このように構成されたデッドボルトガード１００の作用を説明する。
図４は図１に示したデッドボルトガードの解錠状態の動作説明図、図５は図１に示したデッドボルトガードの施錠途中の動作説明図、図６は図１に示したデッドボルトガードの施錠完了時の動作説明図である。
図４に示すように、解錠状態における扉１１の閉止時では、錠箱２１内にデッドボルト１３が後退状態となる。この状態では、ガード部材７３は、圧縮バネ７９によって同図の右方に付勢されている。これにより、トリガーラック８３に噛合したトリガーピニオン６９は、時計回り方向の終端位置で停止している。
【００３２】
図５に示すように、扉閉止状態において、例えば扉屋内側のサムターン９７が、施錠方向に回転され、デッドボルト１３が錠箱２１から突出され始めると、ストライク穴７７に進入したデッドボルト１３の先端が、押込みトリガー６７の先端に当接し、押込みトリガー６７を圧縮バネ７９の付勢力に抗して同図の左方向へと押し込む。押込みトリガー６７が左方向へ移動されると、トリガーラック８３に噛合したトリガーピニオン６９が同図の反時計回りに回転される。
【００３３】
トリガーピニオン６９が反時計回りに回転されると、ゼンマイバネ８７が巻き締められ、これに伴いガードピニオン７１が反時計回りに回転することとなる。ガードピニオン７１が反時計回りに回転することにより、ガードラック９１を介して噛合するガード部材７３が同図の右方向に突出し、扉木口１１ａに先端が当接して停止する。この際、トリガーピニオン６９に固設されたストッパー受け９３も、反時計回りに移動するとともに、同方向に回転するガードピニオン７１に固設されたストッパー９５も、ストッパー受け９３を追って反時計回りに回転する。
【００３４】
図６に示すように、ガード部材７３が扉木口１１ａに当接した状態からさらにサムターン９７が施錠方向へと回転操作され、デッドボルト１３が左方向へと突出すると、トリガーラック８３に噛合したトリガーピニオン６９がさらに反時計回りに回転される。すると、扉木口１１ａに先端が当接してこれ以上の突出が規制されているガード部材７３に噛合したガードピニオン７１は、回転が規制される。したがって、回転が停止したガードピニオン７１に対し、さらに押し込まれた押込みトリガー６７によってトリガーピニオン６９が反時計回りに回転することで、ゼンマイバネ８７が巻き締め方向に弾性変形され、これにより、ガードピニオン７１に対してトリガーピニオン６９が相対回転されることとなる。
【００３５】
停止したガードピニオン７１に対してトリガーピニオン６９がさらに反時計回りに回転することで、トリガーピニオン６９に固設されたストッパー受け９３は、ストッパー９５に対してさらに反時計回りに回転して離反することとなる。すなわち、回転差がゼンマイバネ８７により吸収されたこととなる。また、このストッパー９５からストッパー受け９３が離反した分、ゼンマイバネ８７は巻き締められた状態となり、その弾性復元力が、ガード部材７３の突出方向の付勢力に付加されることとなる。
【００３６】
このため、扉１１と扉枠６１との間にバール等が挿入され、この間隙９９が押し広げられた場合であっても、ガード部材７３は、ゼンマイバネ８７の弾性復元力によって回転されるガードピニオン７１により、さらに突出されることとなり、デッドボルト１３が隠蔽状態のまま維持され続けることとなる。
【００３７】
一方、解錠時、デッドボルト１３が後退すると、圧縮バネ７９によって押込みトリガー６７がデッドボルト１３の後退方向に移動する。押込みトリガー６７に従動してトリガーピニオン６９が回転し、このトリガーピニオン６９に設けられたストッパー受け９３が、ガードピニオン７１に設けられたストッパー９５に当接することで、ストッパー受け９３がストッパー９５を押圧しながら、ガードピニオン７１を回転させる。これにより、解錠時、すなわち、デッドボルト１３の後退時、ガード部材７３を圧縮バネ７９の付勢力によって確実に扉枠６１内へ後退させることができる。
【００３８】
したがって、このデッドボルトガード１００によれば、デッドボルト１３の突出によって直線後退動する押込みトリガー６７と、この押込みトリガー６７に従動回転するトリガーピニオン６９と、トリガーピニオン６９にゼンマイバネ８７を介して従動可能となったガードピニオン７１と、ガードピニオン７１に従動して扉枠６１側から突出されデッドボルト１３を覆うガード部材７３とを備えたので、扉１１が閉止された状態で、施錠のためのデッドボルト１３が突出すると、押込みトリガー６７が直線後退動され、従動したトリガーピニオン６９と共にガードピニオン７１が回転し、このガードピニオン７１に従動してガード部材７３が扉枠６１から突出される。
【００３９】
また、扉１１と扉枠６１との間隙９９が押し広げられた場合であっても、これに追従してゼンマイバネ８７によってガード部材７３が突出され、デッドボルト１３がガード部材７３に覆われた状態を維持することとなる。
【００４０】
これにより、扉１１と扉枠６１との間に表出したデッドボルト１３が、ガード部材７３によって隠蔽され続けることとなり、デッドボルト１３が視認できなくなるとともに、デッドボルト１３に対する直接的な接触が阻止できる。この結果、デッドボルト１３の存在位置が確認できなくなるとともに、デッドボルト１３を破壊する前にガード部材７３を破壊しなければならず、破壊による不正解錠時間を引き延ばすこととなり、防犯性を向上させることができる。
【図面の簡単な説明】
【００４１】
【図１】本発明に係るデッドボルトガードの斜視図である。
【図２】図１に示したデッドボルトガードと扉側の錠箱とを表した縦断面図である。
【図３】デッドボルトガードの要部分解斜視図である。
【図４】図１に示したデッドボルトガードの解錠状態の動作説明図である。
【図５】図１に示したデッドボルトガードの施錠途中の動作説明図である。
【図６】図１に示したデッドボルトガードの施錠完了時の動作説明図である。
【符号の説明】
【００４２】
１１…扉
１３…デッドボルト
６１…扉枠
６７…押込みトリガー
６９…トリガーピニオン
７１…ガードピニオン
７３…ガード部材
７９…付勢手段（圧縮バネ）
８７…回転吸収手段（ゼンマイバネ）
８７ａ…中心端
８７ｂ…外周端
９３…ストッパー受け
９５…ストッパー
１００…デッドボルトガード
【図１】
2007211556.tif 000003
【図２】
2007211556.tif 000004
【図３】
2007211556.tif 000005
【図４】
2007211556.tif 000006
【図５】
2007211556.tif 000007
【図６】
2007211556.tif 000008